(57)【要約】  【課題】食品収納のスペースと、使い勝手を両立させた庫内レイアウトを有する冷蔵庫を提供する。  【解決手段】上部区画３２を冷蔵温度室とし、左右の領域３２ａ，３２ｂを設けて一方の領域に引出し式扉３４を備え、下部区画３３に複数の引出し式扉４５，４９，４７を備えて少なくとも冷凍室４６，５０と野菜室４８とを形成することにより、上部区画３２では冷蔵温度室を集約して収納容量を確保し、ボトル類や小物などの種々雑多な収納物を整理しながら使い勝手よく収納できる。また、下部区画３３では大物や重量物の多い野菜室４８や冷凍室４６，５０に対して、使用者の身体的な負担を抑制しながら深さ制限による収納容量の制限にも対応でき、冷蔵庫全体として、収納容量のバランスがとれた使い勝手のよい冷蔵庫を提供することができる。【選択図】図３
2006189242.tif 000002
【特許請求の範囲】
【請求項１】
上部区画を冷蔵温度室とし、左右の領域を設けて少なくとも一方の領域に引出し式扉を備え、下部区画に複数の引出し式扉を備えて少なくとも冷凍室と野菜室とを形成した冷蔵庫。
【請求項２】
前記左右の領域の一方に引出し式扉を、他方にヒンジ開閉式扉を備えた請求項１に記載の冷蔵庫。
【請求項３】
前記引出し式扉の幅をヒンジ開閉式扉の幅より小さくした請求項２に記載の冷蔵庫。
【請求項４】
前記引出し式扉は前記ヒンジ開閉式扉の反ヒンジ側に並設した請求項２または３に記載の冷蔵庫。
【請求項５】
前記左右の領域間を連通させた請求項１から４のいずれか一項に記載の冷蔵庫。
【請求項６】
前記引出し式扉またはヒンジ開閉式扉のいずれか一方に引出し式扉とヒンジ開閉式扉の合わせ面を密閉する回転仕切り体を設けた請求項５に記載の冷蔵庫。
【発明の詳細な説明】
【技術分野】
【０００１】
本発明は、冷蔵庫の区画構成及び扉の配置構成に関するものである。
【背景技術】
【０００２】
従来、左右に分割された貯蔵室を区画している冷蔵庫において、特許文献１に参照するように、片側が上下引出し式扉で構成されているものが提案されている。
【０００３】
図６、図７は特許文献１に記載された従来の冷蔵庫を示すものである。図６は従来の冷蔵庫の正面図、図７は従来の冷蔵庫の扉を開けた状態の斜視図である。
【０００４】
図６、図７に示すように２は冷蔵庫本体１内を上下に区画する断熱区画壁であり、上部に上部区画３、下部に下部区画４を形成している。５は上部区画３内を左右に区画する第１の区画壁であり、６は下部区画４内を左右に区画する第２の区画壁である。７は第１の区画壁５により一側に形成された冷蔵室、８は冷蔵室７の下部に区画壁９を挟んで形成された野菜室である。１０は第１の区画壁５により他側に形成されたボトル収納室である。１１は第２の区画壁６により一側に形成された冷凍室、１２は他側に形成された製氷室である。
【０００５】
冷蔵室７の開口面には開閉自在に取り付けられたヒンジ開閉式扉１３が設けられている。野菜室８は開口面に開閉自在に取り付けられた引出し式扉１４を設けており、室内側の収納容器（図示せず）を一体に引き出せるように構成されている。
【０００６】
ボトル収納室１０は開口面に開閉自在に取り付けられた引出し式扉１５を設けており、室内側の収納容器１６、１７、１８、１９を一体に引き出せるように構成されている。また、冷凍室１１は開口面に開閉自在に取り付けられた引出し式扉２０を設けており、室内側の収納容器（図示せず）を一体に引き出せるよう構成されている。製氷室１２は開口面に開閉自在に取り付けられた引出し式扉２１を設けており、室内側の収納容器（図示せず）を一体に引き出せるように構成されている。
【特許文献１】特開２００１−２６３９１３号公報
【発明の開示】
【発明が解決しようとする課題】
【０００７】
しかしながら、上記従来の構成では、上部区画３に設けた引出し式扉のうち、引出し式扉１５を設けたボトル収納室１０は、深さの浅い収納容器１６、１７、１８、１９を縦方向に並べ、各収納容器間の空間を相当に広くとって収納物となるボトル類や小物類などを左右方向からでも取り出せるようにしているため、一般的には使い勝手が悪くなる上部区画に設けた引出し式扉であっても使い勝手を損ねることがない一方で、引出し式扉１４を設けた野菜室８は、キャベツ，白菜，ダイコン，カボチャなどの大物野菜や立てて保存する葉菜類などを収納する関係上収納容器の深さが深く、収納物は収納容器上部の開口面から取り出さねばならず、このため上部区画に配置する場合は使い勝手に十分な配慮が成され難かった。また、使い勝手に配慮をしようとすれば収納容器の深さを浅めに制限せねばならず、今度は野菜室８の収納容量を十分に提供することができず、使い勝手と収納容量の双方を満足できる引出し式の野菜室８を提供することが困難である、という改善すべき課題を有していた。
【０００８】
さらに、上記従来の構成では、引出し式扉１５を設けたボトル収納室１０を有した上部区画３内を左右に分割する第１の区画壁５が存在するため、上部区画３の内容積が第１の区画壁５の容積だけ減少して上部区画３内の食品収納量が減少するとともに、使用者が上部区画３内を開けたときに視覚的な圧迫感を感じ、庫内の広々感が得られず商品価値が低下するという、改善すべき課題を有していた。
【０００９】
本発明は、上記従来の課題を解決するもので、上部，下部各区画の使い勝手と収納性をともに改善しながら、上部区画内の食品収納スペースを有効に活用し、また、上部区画内の広々感を実感できる冷蔵庫を提供することを目的とする。
【課題を解決するための手段】
【００１０】
上記従来の課題を解決するために、本発明の冷蔵庫は、上部区画を冷蔵温度室とし、左右の領域を設けて少なくとも一方の領域に引出し式扉を備え、下部区画に複数の引出し式扉を備えて少なくとも冷凍室と野菜室とを形成したものである。
【００１１】
これによって、従来のように野菜室を上部区画には設けず、様々な品目を多量に収納することが要求される冷蔵温度室を集約して収納容量を確保し、そのうち少なくとも左右一方の領域には引出し式扉を備えることによって、ボトル類や小物などの種々雑多な収納物を整理しながら使い勝手よく収納できる。
【００１２】
また、引出し式の野菜室を冷凍室とともに下部区画に配置することによって、大物や重量物の多い野菜室や冷凍室に対して、肘を上げて出し入れする不便がなくなって使用者の腕などへの身体的な負担を抑制でき、深さによる収納容量の制限にも対応できて、冷蔵庫全体として、収納容量のバランスがとれた使い勝手のよい冷蔵庫を提供することができる。
【００１３】
また、上部区画の左右の領域を連通させることにより、上部区画内の広々感を保つことが可能となる。さらに、左右の領域を区画する区画壁を設けなければ、より一層上部区画内の食品収納のスペースを有効活用できるとともに、収納物の出し入れがしやすく、視覚的な広々感も最大限に引き出されるものとなる。
【発明の効果】
【００１４】
本発明の冷蔵庫は、上部区画の冷蔵収納物を多種多量に使い勝手よく収納できる。また、大物や重量物の多い野菜室や冷凍室を使用者に身体的な負担を掛けることなく、下部区画で使い勝手よく収納でき、冷蔵庫全体として、収納容量のバランスがとれた使い勝手のよい冷蔵庫を提供することができる。
【００１５】
また、上部区画の左右の領域が連通することにより、上部区画内の広々感を保つことができる。左右の領域を区画する区画壁を設けないような工夫をすれば、上部区画内の食品収納スペースの有効活用、収納物の出し入れの使い勝手、視覚的な広々感をより一層引き出すことができる。
【発明を実施するための最良の形態】
【００１６】
請求項１に記載の発明は、上部区画を冷蔵温度室とし、左右の領域を設けて少なくとも一方の領域に引出し式扉を備え、下部区画に複数の引出し式扉を備えて少なくとも冷凍室と野菜室とを形成したものである。
【００１７】
これにより、従来のように野菜室を上部区画には設けないために、様々な品目を多量に収納することが要求される冷蔵温度室を集約して収納容量を確保することができ、そのうち少なくとも左右一方の領域には引出し式扉を備えることによって、ボトル類や小物などの種々雑多な収納物を整理しながら、しかも引き出したときには、左右空間からの出し入れも可能となって使い勝手よく収納できる。
【００１８】
また、引出し式の野菜室を冷凍室とともに下部区画に配置することによって、大物や重量物の多い野菜室や冷凍室に対して、肘を上げて収納容器の上面から収納物を出し入れする不便がなくなって使用者の腕などへの身体的な負担を抑制でき、上部区画に野菜室を設けた場合のような深さの制限による収納容量の制限にも対応できて、冷蔵庫全体として、収納容量のバランスがとれた使い勝手のよい冷蔵庫を提供することができる。
【００１９】
請求項２に記載の発明は、請求項１に記載の発明において、前記左右の領域の一方に引出し式扉を、他方にヒンジ開閉式扉を備えたものである。
【００２０】
これにより、引出し式扉側にはペットボトルやビン、缶類、ヒンジ開閉式扉側の上部区画内には食品類といったように目的にあった区分収納が可能となる。また、区分収納による使い分けが可能となるため、必要に応じた扉開閉による温度上昇の低減が図れ、省エネにも繋がる。
【００２１】
請求項３に記載の発明は、請求項２に記載の発明において、前記引出し式扉の幅をヒンジ開閉式扉の幅より小さくしたものである。
【００２２】
これによりヒンジ開閉式扉側の上部区画内の食品収納量が適度に確保され、引出し式扉側のペットボトルやビン、缶類とヒンジ開閉式扉側の上部区画内の食品収納量のバランスを適切なものにすることができる。
【００２３】
請求項４に記載の発明は、請求項２または３に記載の発明において、前記引出し式扉は前記ヒンジ開閉式扉の反ヒンジ側に並設したものである。
【００２４】
これにより、ヒンジ開閉式扉を開いた場合には、引出し式扉側の貯蔵物も含めて視覚に入れることができ、特に左右の領域を区画する区画壁がなければ上部区画全体を見渡せ、使い勝手をより向上することができる。
【００２５】
請求項５に記載の発明は、請求項１から４のいずれか一項に記載の発明において、前記左右の領域間を連通させたものである。
【００２６】
これにより、上部区画内が圧迫されて狭く感ずる度合いが軽減し、視覚的な広々感を保つことができる。また、上部区画を左右に分割する区画壁を設けないような程度にまで左右領域の連通の度合いを高めればさらに広々感を創出でき、上部区画内を立ち姿勢で楽に見渡せ使い勝手をより向上することができる。また、引出し式扉の領域は隣接する領域内の側方から見渡すこともできるので、一層出し入れの使い勝手を高めることができる、という利点も有する。
【００２７】
請求項６に記載の発明は、請求項５に記載の発明において、前記引出し式扉またはヒンジ開閉式扉のいずれか一方に引出し式扉とヒンジ開閉式扉の合わせ面を密閉する回転仕切り体を設けたものである。
【００２８】
これにより、引出し式扉とヒンジ開閉式扉の上下合わせ面のシール性を向上することができ、冷気漏れ等による冷却ロスを低減でき、省エネにも繋がる。また、前面開口部には仕切りが存在しないため、上部区画の食品収納量は減少せず、いずれか一方の扉を開放した場合も上部区画内は楽に見渡すことができ、より一層使い勝手を向上することができる。
【００２９】
以下、本発明による冷蔵庫の実施の形態について、図面を参照しながら説明する。また、先に説明した実施の形態と同一構成については、同一符号を付して、その詳細な説明は省略する。なお、この実施の形態によってこの発明が限定されるものではない。
【００３０】
（実施の形態１）
以下、本発明の実施の形態１を図１から図３に基づいて説明する。図１は本発明の実施の形態１における冷蔵庫の正面図、図２は本発明の実施の形態１における冷蔵庫の断熱箱体の正面図、図３は本発明の実施の形態１における扉を開けた時の冷蔵庫の斜視図である。
【００３１】
図１から図３に示すように、３０は断熱箱体で形成された冷蔵庫本体であり、冷蔵庫本体３０は、上下に分割する区画壁３１により上部区画３２と下部区画３３に分割されている。
【００３２】
上部区画３２はその内部に左右の領域となる左側領域３２ａと右側領域３２ｂとを有しており、左側領域３２ａの前面開口部を塞ぐ扉としては引出し式扉３４を配置し、右側領域３２ｂの前面開口部を塞ぐ扉としてはヒンジ開閉式扉３５を配置している。
【００３３】
引出し式扉３４の幅はヒンジ式扉３５の幅よりも小さく、引出し式扉３４と隣り合う辺の反対側の辺にヒンジ式扉３５のヒンジ部３６を設けた構成となっている。すなわち、換言すればヒンジ式扉３５の反ヒンジ側に引出し式扉３４が並設された配置構成となっている。
【００３４】
また、上部区画３２は、左側領域３２ａと右側領域３２ｂとが例えば区画壁等で区画されておらず、互いに連通する構成となっている。そして、上部区画３２内は、左側領域３２ａ，右側領域３２ｂを併せてともに冷蔵温度帯の貯蔵室となっている。
【００３５】
また、引出し式扉３４で開閉される左側領域３２ａ内には複数の収納容器３７が上下方向に所定の間隔をおいて設けられ、引出し式扉３４と一体に引き出せるように構成されている。
【００３６】
上部区画３０内において、引出し式扉３４と反対側の引出し式扉３４で開閉される右側領域３２ｂ内には収納物を載置する複数の棚３８を備えていて、上部区画３０の背面を構成する冷気を循環させるダクト（図示せず）などに固定されたカンチレバー式の固定具３９を用いて所定の位置に棚３８を固定できるよう構成されている。低温室４０は収納容器４１を備えて、主として肉、魚介類、ハム等の生鮮食料品をたとえば０〜１℃程度の温度で貯蔵する。
【００３７】
また、下部区画３３は左右に分割する区画壁４２により、左区画と右区画に分割され、左区画は上から順に引出し式扉４３を備えた製氷室４４、引出し式扉４５を備えた冷凍室４６で構成され、右区画は上から順に引出し式扉４７を備えた野菜室４８、引出し式扉４９を備えた冷凍室５０で構成されている。
【００３８】
ここで、複数の収納容器３７内には大小のペットボトルやビン類、缶類、紙パック等の飲料、調味量などの液状物容器、その他小物や卵など従来、冷蔵室の扉棚に収納されていた収納物を主に貯蔵でき、引出し式扉３４と一体に引き出せるよう構成している。
【００３９】
以上のように構成された冷蔵庫について、以下その動作について説明する。
【００４０】
冷蔵庫本体３０の上部区画３２を使用頻度の高い冷蔵温度帯の貯蔵室とし、従来のように野菜室４８を上部区画３２には設けないようにすることで、様々な品目を多量に収納することが要求される冷蔵温度室を集約して収納容量を確保することができ、立ち姿勢のまま食品収納をする割合を多くでき、使い勝手を向上することができる。
【００４１】
また、上部区画３２の前面開口部を塞ぐ扉の一方を引出し式扉３４とすることで、引出し式扉３４を引き出した時に収納容器３７相互間の所定の空間を介して左右両側から収納容器３７内の収納物を出し入れでき、使い勝手を向上することができる。
【００４２】
また、上部区画３２内の左側領域３２ａと右側領域３２ｂとの境界面は左右に分割する区画壁等が存在しない形で連通しているので、上部区画３２内の食品収納スペースを最大限使用できるとともに、ヒンジ部３６が引出し式扉３４の反対側に設けられたヒンジ式扉３５を開放した場合には、上部区画３２内全体を見渡すことができるため、上部区画３２内の広々感を保つことができ、使い勝手を向上することができる。
【００４３】
また、上部区画３２内の左側領域３２ａ，右側領域３２ｂともに冷蔵温度帯の同一温度帯に設定されるものであるので、両領域が連通していても冷却ダクト等の構成や冷却制御の構成が容易であり、相互の温度影響についても懸念することがないものである。
【００４４】
また、引出し式扉３４の幅をヒンジ式扉３５の幅よりも小さくすることで、人の腰よりも高い位置に引出し式扉３４を引き出したときにでも圧迫感がなく、ヒンジ式扉３５との幅方向のバランスがとれてデザイン性も向上する。
【００４５】
さらに、引出し式の野菜室４８と引出し式の冷凍室４６，５０及び製氷室４４を下部区画３３に配置することによって、大物や重量物の多い野菜室や冷凍室に対して、肘を上げて収納容器の上面から収納物を出し入れする不便がなくなって使用者の腕などへの身体的な負担を抑制でき、上部区画に野菜室４８を設けた場合のような深さの制限による収納容量の制限にも対応できて容量を確保でき、冷蔵庫全体として、収納容量のバランスがとれた使い勝手のよい冷蔵庫を提供することができる。
【００４６】
なお、本実施の形態においては、上部区画３２の左側領域３２ａと右側領域３２ｂとの間に領域を区画する区画壁を設けなかったが、上部区画３２の広々感の要求度合いや、区画壁がないことによるカンチレバー式の棚３８採用のコスト面や対荷重強度面での課題の度合いによっては、左側領域３２ａと右側領域３２ｂとの間を区画する区画壁を設ける選択もあり得る。この場合は、本実施の形態における作用効果のうち上部区画３２内の広々感に関する部分については後退するものの、依然として上部区画３２，下部区画３３を通じての全体としての貯蔵室レイアウトの配置に関わる作用効果は十分に発揮されるものであり、使い勝手と収納性を追求した冷蔵庫の庫内レイアウトの有効な例となりうるものである。
【００４７】
さらに、左側領域３２ａと右側領域３２ｂとの間を区画する区画壁に関して、有りか無しかの選択以外にも、区画壁は存在しても例えば奥行き方向において上部区画３２の前面開口部から所定の間隔をおいて設置し、左側領域３２ａと右側領域３２ｂとの前面に両領域を連通する適当な空間を形成することによっても見た目の圧迫感は相当緩和され、上部区画３２内の広々感を創出するのみ効果的であり、上述の区画壁が全面的に有り、無しの場合の折衷的な効果を併せ持つことができ、実用的な意義を大きくするような選択も可能である。
【００４８】
（実施の形態２）
以下本発明の実施の形態２を、図４に基づいて説明する。図４は本発明の実施の形態２における扉を開けた時の冷蔵庫の斜視図である。
【００４９】
図４に示すように５１は上部区画３２の前面開口部のみを左右に分割しながら引出し式扉３４とヒンジ開閉式扉３５の合わせ面を密閉する仕切りである。仕切り５１により引出し式扉３４とヒンジ開閉式扉３５の上下方向の合わせ面のシールを確実に行うことができ、冷却性能及び省エネ性を向上することができる。
【００５０】
また、仕切り５１は前面開口部のみに取り付けられているため、上部区画３２内の左側領域３２ａと右側領域３２ｂとの境界面は連通して奥行き方向は開放空間であるので、食品収納スペースを最大限使用できるとともに、ヒンジ部３６が引出し式扉３４の反対側に設けられたヒンジ式扉３５を開放した場合には、上部区画３２内全体を見渡すことができるため、上部区画３２内の広々感をたもつことができ、使い勝手を向上することができる。
【００５１】
（実施の形態３）
以下本発明の実施の形態３を、図５に基づいて説明する。図５は本発明の実施の形態３における扉を開けた時の冷蔵庫の斜視図である。
【００５２】
図５に示すように５２はヒンジ開閉式扉３５のヒンジ部３６の反対側に引出し式扉とヒンジ開閉式扉の合わせ面を密閉するように設けられた回転仕切り体である。回転仕切り体５１により引出し式扉３４とヒンジ開閉式扉３５の上下合わせ面のシールを確実に行うことができ、冷却性能及び省エネ性を向上することができる。
【００５３】
また、上部区画３２の左側領域３２ａと右側領域３２ｂとを左右に分割する区画壁や仕切りが存在しないため、上部区画３２内の食品収納スペースを最大限使用できるとともに、ヒンジ部３６が引出し式扉３４の反対側に設けられたヒンジ式扉３５を開放した場合には、上部区画３２内全体を見渡すことができるため、上部区画３２内の広々感をたもつことができ、使い勝手を向上することができる。
【産業上の利用可能性】
【００５４】
以上のように、本発明にかかる冷蔵庫は、上部区画の左右領域を開閉する扉をそれぞれ設け、両領域を分割する区画壁を有さず連通させる構成として、一方の扉を引出し式扉とすることで、上部区画内の食品収納のスペースを最大限使用できるとともに、奥にある収納物の出し入れ性を向上することができ、使い勝手を向上させることが可能となるので、同様の引出し式扉を構成する冷蔵庫や収納器具等にも適用できる。
【図面の簡単な説明】
【００５５】
【図１】本発明の実施の形態１における冷蔵庫の正面図
【図２】本発明の実施の形態１における冷蔵庫の断熱箱体の正面図
【図３】本発明の実施の形態１における扉を開けた時の冷蔵庫の斜視図
【図４】本発明の実施の形態２における扉を開けた時の冷蔵庫の斜視図
【図５】本発明の実施の形態３における扉を開けた時の冷蔵庫の斜視図
【図６】従来の冷蔵庫の正面図
【図７】従来の冷蔵庫の扉を開けた状態の斜視図
【符号の説明】
【００５６】
３０  冷蔵庫本体
３１  区画壁
３２  上部区画
３２ａ  左側領域
３２ｂ  右側領域
３３  下部区画
３４，４３，４５，４７，４９  引出し式扉
３５  ヒンジ式扉
３６  ヒンジ部
３７  収納容器
３８  棚
３９  固定具
４０  低温室
４１  収納容器
４２  区画壁
５１  仕切り
５２  回転仕切り体
【図１】
2006189242.tif 000003
【図２】
2006189242.tif 000004
【図３】
2006189242.tif 000005
【図４】
2006189242.tif 000006
【図５】
2006189242.tif 000007
【図６】
2006189242.tif 000008
【図７】
2006189242.tif 000009